(57)【要約】【課題】本発明は、製造、運送及び組み立てに便利であり、且つ出射された光線が均一である導光板、導光板アセンブリ及びバックライトモジュールを提供する。【解決手段】本発明の導光板は、導光部及び発光部を備え、導光部は、入射面と、入射面にそれぞれ接続されている頂面及び第一底面を備え、頂面は、第一底面に対向して位置し、入射面は、光源が出射した光線を受け取り、第一底面は、入射面に垂直し、発光部は、出光面と、出光面に接続される接続面と、出光面に対向して位置する第二底面と、出光面と第二底面とに接続される接触面と、を備え、接続面は、頂面に接続されて１つの収容空間を形成し、入射面から受け取った光線は、出光面から面光源方式によって出射され、第二底面は、第一底面に接続される。【選択図】図２
2015204295.tif 000002
【特許請求の範囲】
【請求項１】
導光板において、
前記導光板は、導光部及び発光部を備え、
前記導光部は、入射面と、前記入射面にそれぞれ接続されている頂面及び第一底面と、を備え、前記頂面は、第一底面と対向して位置し、前記入射面は、光源が出射した光線を受け取り、前記第一底面は、前記入射面に垂直し、
前記発光部は、出光面と、前記出光面に接続された接続面と、前記出光面に対向して位置する第二底面と、前記出光面と前記第二底面とに接続された接触面とを備え、前記接続面は、前記頂面に接続されて１つの収容空間を形成し、前記入射面から受け取った光線は、前記出光面から面光源方式によって出射され、前記第二底面は、前記第一底面に接続されることを特徴とする導光板。
【請求項２】
前記接続面、前記頂面、前記第二底面及び前記接触面は、それぞれ平坦な平面であり、前記接続面と前記頂面との間に形成された夾角は、前記第二底面と前記接触面との間に形成された夾角に等しいことを特徴とする請求項１に記載の導光板。
【請求項３】
前記第一底面は、平坦な平面であり、前記頂面と前記第一底面との間に形成された夾角は、鋭角であり、前記第一底面と前記第二底面との間に形成された夾角は、鈍角であることを特徴とする請求項２に記載の導光板。
【請求項４】
前記頂面と前記第一底面との間に形成された夾角は、前記第一底面と前記第二底面との間に形成された夾角と、互いに補角であることを特徴とする請求項３に記載の導光板。
【請求項５】
前記出光面は、平坦な平面であることを特徴とする請求項３に記載の導光板。
【請求項６】
前記出光面は、前記第一底面に平行することを特徴とする請求項５に記載の導光板。
【請求項７】
前記出光面は、弧面であることを特徴とする請求項２に記載の導光板。
【請求項８】
前記出光面は、前記第二底面に向けてその中央がやや窪んだ凹溝型の弧面であることを特徴とする請求項７に記載の導光板。
【請求項９】
前記頂面は、前記第一底面に平行することを特徴とする請求項８に記載の導光板。
【請求項１０】
前記出光面は、前記第二底面から離れる方向に向けてその中央がやや突出した突起型の弧面であることを特徴とする請求項７に記載の導光板。
【請求項１１】
前記第一底面は、前記第二底面と同じ平面に位置することを特徴とする請求項１０に記載の導光板。
【請求項１２】
前記接続面には反射膜が設置されており、前記接続面に入った光線が、前記反射膜によって反射することを特徴とする請求項１から１１のいずれか１項に記載の導光板。
【請求項１３】
光源及び導光板を備え、前記光源は、光線を出射し、前記導光板は、前記光源が出射した光線を処理した後、該光線を出射するバックライトモジュールにおいて、
前記導光板は、導光部及び発光部を備え、
前記導光部は、入射面と、前記入射面にそれぞれ接続されている頂面及び第一底面と、を備え、前記頂面は、第一底面に対向して位置し、前記入射面は、光源が出射した光線を受け取り、前記第一底面は、前記入射面に垂直し、
前記発光部は、出光面と、前記出光面に接続される接続面と、前記出光面に対向して位置する第二底面と、前記出光面と前記第二底面とに接続された接触面と、を備え、前記接続面は、前記頂面に接続されて１つの収容空間を形成し、前記入射面から受け取った光線は、前記出光面から面光源方式によって出射され、前記第二底面は、前記第一底面に接続されることを特徴とするバックライトモジュール。
【請求項１４】
前記バックライトモジュールは、モジュール底板を備え、前記モジュール底板は、前記導光板及び前記光源を固定して支持し、前記第一底面は、前記モジュール底板と接触し、前記光源は、前記入射面と対向するように前記モジュール底板に設置されることを特徴とする請求項１３に記載のバックライトモジュール。
【請求項１５】
前記バックライトモジュールは、少なくとも２つの導光板を備え、前記少なくとも２つの導光板中、１つの前記導光板の発光部における前記導光部から離れている一端は、もう１つの前記導光板の収容空間に収容されて、前記少なくとも２つの導光板の出光面は重なり合うことを特徴とする請求項１３に記載のバックライトモジュール。
【請求項１６】
１つの前記導光板の第二底面における前記第一底面から離れている部分は、もう１つの前記導光板の頂面を覆い、同時に、１つの前記導光板の接触面は、もう１つの前記導光板の接続面と接触することを特徴とする請求項１５に記載のバックライトモジュール。
【請求項１７】
互いに重なり合わさった少なくとも２つの導光板を備える導光板アセンブリにおいて、
各導光板は、導光部及び発光部を備え、
前記導光部は、入射面と、前記入射面にそれぞれ接続されている頂面及び第一底面と、を備え、前記頂面は、第一底面と対向して位置し、前記入射面は、光源が出射した光線を受け取り、前記第一底面は、前記入射面に垂直し、
前記発光部は、出光面と、前記出光面に接続される接続面と、前記出光面と対向して位置する第二底面と、前記出光面と前記第二底面とに接続される接触面と、を備え、前記接続面は、前記頂面と接続されて１つの収容空間を形成し、前記入射面から受け取った光線は、前記出光面から面光源方式によって出射され、前記第二底面は、前記第一底面に接続され、前記少なくとも２つの導光板において、１つの前記導光板の発光部における前記導光部から離れている一端は、もう１つの前記導光板の収容空間に収容されて、前記少なくとも２つの導光板の出光面は、重なり合うことを特徴とする導光板アセンブリ。
【請求項１８】
前記少なくとも２つの導光板において、１つの前記導光板の第二底面における前記第一底面から離れている部分は、もう１つの前記導光板の頂面を平坦に覆い、同時に、１つの前記導光板の接触面は、もう１つの前記導光板の接続面に接触することを特徴とする請求項１７に記載の導光板アセンブリ。
【請求項１９】
前記接続面、前記頂面及び前記接触面は、それぞれ平坦な平面であり、前記接続面と前記頂面との間に形成された夾角は、前記接触面と前記第二底面との間に形成された夾角に等しいことを特徴とする請求項１７から１８のいずれか１項に記載の導光板アセンブリ。
【請求項２０】
前記接続面及び前記頂面には、それぞれ反射膜が形成され、前記接続面及び前記頂面に伝導された光線は、前記反射膜によって反射されることを特徴とする請求項１７から１８のいずれか１項に記載の導光板アセンブリ。
【発明の詳細な説明】
【技術分野】
【０００１】
本発明は、導光板、導光板アセンブリ及びバックライトモジュールに関するものである。
【背景技術】
【０００２】
従来の一部の光源或いはディスプレイのバックライトモジュールは、導光板等の導光アセンブリを利用し、導光アセンブリに、該導光アセンブリを通過する光線を処理させる。導光板は、光源及びディスプレイのサイズが増大するにつれて、そのサイズも増大する。しかし、導光板のサイズの増大は、製造、運送及び組み立てを不便にする。また、ディスプレイ及び光源は、通常、点光源或いは線光源を利用しているが、導光板における光源と離れている個所の光線は弱くなる。これにより、導光板が出射した光線は不均一であり、且つ表示効果の低い。
【発明の概要】
【発明が解決しようとする課題】
【０００３】
以上の問題点に鑑みて、本発明は、製造、運送及び組み立てに便利であり、且つ出射された光線が均一である導光板、導光板アセンブリ及びバックライトモジュールを提供することを目的とする。
【課題を解決するための手段】
【０００４】
上記の課題を解決するために、本発明の導光板は、導光部及び発光部を備え、導光部は、入射面と、入射面にそれぞれ接続されている頂面及び第一底面と、を備え、頂面は、第一底面と対向して位置し、入射面は、光源が出射した光線を受け入れ、第一底面は、入射面に垂直し、発光部は、出光面と、出光面に接続される接続面と、出光面と対向して位置する第二底面と、出光面と第二底面とに接続される接触面と、を備え、接続面は、頂面に接続されて１つの収容空間を形成し、入射面から受け取った光線は、出光面から面光源方式によって出射され、第二底面は、第一底面と接続する。
【０００５】
上記の課題を解決するために、本発明のバックライトモジュールは、光源及び導光板を備え、光源は、光線を出射し、導光板は、光源が出射した光線を処理した後、該光線を出射し、導光板は、導光部及び発光部を備え、導光部は、入射面と、入射面にそれぞれ接続されている頂面及び第一底面と、を備え、頂面は、第一底面に対向して位置し、入射面は、光源が出射した光線を受け取り、第一底面は、入射面に垂直し、発光部は、出光面と、出光面に接続される接続面と、出光面と対向して位置する第二底面と、出光面と第二底面に接続される接触面と、を備え、接続面は、頂面と接続されて１つの収容空間を形成し、入射面から受け取った光線は、出光面から面光源方式によって出射され、第二底面は、第一底面に接続される。
【０００６】
上記の課題を解決するために、本発明の導光板アセンブリは、互いに重なり合わさった少なくとも２つの導光板を備え、各導光板は、導光部及び発光部を備え、導光部は、入射面と、入射面にそれぞれ接続されている頂面及び第一底面と、を備え、頂面は、第一底面に対向して位置し、入射面は、光源が出射した光線を受け取り、第一底面は、入射面に垂直し、発光部は、出光面と、出光面に接続される接続面と、出光面に対向して位置する第二底面と、出光面と第二底面とに接続される接触面と、を備え、接続面は、頂面と接続されて１つの収容空間を形成し、入射面から受け取った光線は、出光面から面光源方式によって出射され、第二底面は、第一底面に接続され、少なくとも２つの導光板において、１つの導光板の発光部における導光部から離れている一端は、もう１つの導光板の収容空間に収容されて、少なくとも２つの導光板の出光面は重なり合う。
【発明の効果】
【０００７】
本発明の導光板は、導光部の頂面と発光部の接続面とが接続されて１つの収容空間が形成され、該収容空間内に、導光板と重なり合うようにもう１つの導光板の発光部が収容されるため、出光面のサイズが異なる光源或いはディスプレイに応用することができる。また、各導光板のサイズは小さいため、製造、運送及び組み立てに便利である。各導光板の入射面は、独立して１つの光源から光線を受け取るため、複数の導光板を重なり合わせた後、出光面から出射された光線は均一であり、表示効果を向上できる。更に、導光板の第一底面は、平面であり、且つ入射面に垂直している。光源は、第一底面が位置する同じ平面に設置され、且つ導光板と光源を支持するモジュール底板上に設置されるため、光源を固定しやすい。また、第一底面は平面であるため、モジュール底板と第一底面との接触面積は大きくなる。これにより、導光板及び光源は、安定的にモジュール底板に固定することができる。
【図面の簡単な説明】
【０００８】
【図１】図１は本発明に係る第一実施形態の導光板の斜視図である。
【図２】図２は図１に示した導光板の側面図である。
【図３】図３は図１に示した導光板を備えたバックライトモジュールの斜視図である。
【図４】図４は図３に示したバックライトモジュールの側面図である。
【図５】図５は本発明に係る第二実施形態の導光板の斜視図である。
【図６】図６は図５に示した導光板の側面図である。
【図７】図７は図５に示した導光板を備えたバックライトモジュールの側面図である。
【図８】図８は本発明に係る第三実施形態の導光板の斜視図である。
【図９】図９は図８に示した導光板の側面図である。
【図１０】図１０は図８に示した導光板を備えたバックライトモジュールの側面図である。
【図１１】図１１は本発明に係る第四実施形態の導光板の側面図である。
【図１２】図１２は本発明に係る第五実施形態の導光板の側面図である。
【図１３】図１３は本発明に係る第六実施形態の導光板の側面図である。
【発明を実施するための形態】
【０００９】
図１に示したように、本発明に係る第一実施形態の導光板１０は、導光部１００及び発光部２００を備える。導光部１００は、光源２０（図３を参照）が出射した光線を受け取り、且つ該光線を発光部２００に伝導する。発光部２００は、受け取った光線に対して拡散等の処理を行った後、面光源方式によって該光線を出射する。本実施形態において、導光部１００は、光線を発光部２００に伝導するが、導光部１００の入射面１１０（図２を参照）が受け取った光線に対しては、拡散等の処理は行わない。
【００１０】
図２を併せて参照すると、導光部１００は、入射面１１０、頂面１２０及び第一底面１３０を備える。頂面１２０は、第一底面１３０と対向して位置し、且つ入射面１１０に接続されている。入射面１１０は、光源２０（図３を参照）と対向して位置し、光源２０が出射した光線を受け取る。本実施形態において、入射面１１０、頂面１２０及び第一底面１３０は、それぞれ平坦な平面であり、頂面１２０と第一底面１３０との間には、第一夾角θが形成されている。本実施形態において、第一夾角θは、鋭角であり、該第一夾角θの範囲は、０°＜θ≦１５°が好ましい。第一底面１３０は、入射面１１０に垂直であり、他の支持部材に接触して導光板１０を支持するために用いられる。
【００１１】
発光部２００は、出光面２１０、接続面２２０、第二底面２３０及び接触面２４０を備える。出光面２１０、接続面２２０、第二底面２３０及び接触面２４０は、それぞれ平坦な平面である。入射面１１０を通過して発光部２００に入射した光線は、全て出光面２１０を通過して出射される。出光面２１０が位置する平面は、第一底面１３０が位置する平面に平行である。接続面２２０は、出光面２１０及び頂面１２０とに接続され、且つ頂面１２０と共同で１つの収容空間（図示せず）を形成している。該収容空間内に、もう１つの導光板１０を収容し、該導光板１０ともう１つの導光板１０とを重ねることで、サイズが大きい１つのバックライトモジュール１（図３を参照）を形成することができる。また、接続面２２０と頂面１２０との間には、第二夾角αが形成されており、該第二夾角αは、９０°より大きい。
【００１２】
第二底面２３０は、出光面２１０と対向して位置し、且つ第一底面１３０に接続され、第二底面２３０と第一底面１３０との間には第三夾角φが形成されている。本実施形態において、第三夾角φは、鈍角であり、該第三夾角φの範囲は、１６５°＜φ＜１８０°であるのが好ましい。第二底面２３０が位置する平面は、頂面１２０が位置する平面に平行する。即ち、第一夾角θと第三夾角φとは、互いに補角である。接触面２４０は、出光面２１０と第二底面２３０とに接続されている。また、接触面２４０と第二底面２３０との間には、第四夾角βが形成されており、該第四夾角βは、第二夾角αに等しい。即ち、α＝β＞９０°である。
【００１３】
第二底面２３０は、反射面であり、第二底面２３０に伝導された光線を導光板１０内に反射する。第二底面２３０には、複数の微細構造（図示せず）が設置されており、且つ光線を反射する塗布層或いは反射片（図示せず）が設置されている。
【００１４】
図３及び図４を併せて参照すると、バックライトモジュール１は、複数の導光板１０、複数の光源２０及び複数のモジュール底板３０を備える。各導光板１０に、１つの光源２０及び１つのモジュール底板３０が設置されている。光源２０は、面光源或いは線光源であり、入射面１１０と対向して位置し、且つ光線を発射する。モジュール底板３０は、導光板１０における第一底面１３０と隣接する一側に設置されて、導光板１０及び光源２０を固定して支持する。
【００１５】
導光板１０ともう１つの導光板１１とを重ね合わせることで、バックライトモジュール１を形成する。導光板１０の発光部２００における入射面１１０から離れている一端は、導光板１１の収容空間に収容される。具体的には、導光板１０の第二底面２３０における第一底面１３０から離れている部分は、導光板１１の頂面１２１を平坦に覆い、この際、接触面２４０は、導光板１１の接続面２２１と接触する。これにより、導光板１０の出光面２１０は、導光板１１の出光面２１１と同じ平面に位置し、互いに重なり合わさって、１つのバックライトモジュール１が形成される。
【００１６】
従来の技術と比較して、導光板１０の出光面２１０は、導光板１１の出光面２１１と同じ平面に位置して互いに重なり合うため、バックライトモジュール１の出光面の面積は増大されて光線の均一性を向上できる。また、容易に複数の導光板１０を組み立てることができる。同時に、導光板１０の導光部１００の第一底面１３０は、平面であり、且つ入射面１１０に垂直している。光源２０は、第一底面１３０と同平面に設置され、且つモジュール底板３０上に位置するため固定しやすい。また、第一底面１３０は平面であるため、モジュール底板３０と第一底面１３０との接触面積は大きくなり、導光板１０と光源２０とは安定的にモジュール底板３０に固定される。
【００１７】
図５を併せて参照すると、本発明に係る第二実施形態の導光板４０の構造は、第一実施形態の導光板１０の構造と類似する。導光板４０は、導光部４００及び発光部５００を備える。
【００１８】
図６を併せて参照すると、導光部４００は、入射面４１０、頂面４２０及び第一底面４３０を備える。頂面４２０は、第一底面４３０と対向して位置し、且つ入射面４１０に接続されている。入射面４１０、頂面４２０及び第一底面４３０は、それぞれ平坦な平面である。頂面４２０は、入射面４１０に垂直して位置する。即ち、頂面４２０は、第一底面４３０に平行しており、第一底面４３０は、入射面４１０に垂直している。
【００１９】
発光部５００は、出光面５１０、接続面５２０、第二底面５３０及び接触面５４０を備える。出光面５１０は、弧面である。本実施形態において、出光面５１０は、図６を平面視した場合、出光面５１０のやや中央部分が第二底面５３０に向けて窪んだ凹溝型の弧面である。接続面５２０、第二底面５３０及び接触面５４０は、それぞれ平坦な平面である。また、接続面５２０は、頂面４２０と共同で１つの収容空間を形成し、該収容空間に、導光板４０に接続された他の導光板４０を収容する。本実施形態において、接続面５２０は、頂面４２０に垂直に位置する。即ち、第二夾角αは９０°であり、第二底面５３０と第一底面４３０との間には、第三夾角φが形成される。該第三夾角φは、鈍角である。しかし鈍角の範囲は、１６５°＜φ＜１８０°が好ましい。またこの際、接触面５７０は、第二底面５３０に垂直に位置する。即ち、第四夾角βは、９０°である。
【００２０】
図７を併せて参照すると、第二実施形態のバックライトモジュール２は、複数の導光板４０、複数の光源２０及び複数のモジュール底板３０を備える。本実施形態において、バックライトモジュール２は、導光板４０及びもう１つの導光板４１を備え、導光板４０の発光部５００における発光部５００から離れている一端は、導光板４１の収容空間に収容されている。具体的には、導光板４０の第二底面５３０における第一底面４３０から離れている部分は、導光板４１の頂面４２１をカバーし、同時に、接触面５４０は、導光板４１の接続面５２１に接触する。これにより、導光板４０の出光面５１０は、導光板４１の出光面５１１に接続されて、面積が大きい１つの弧面を形成する。つまり、複数の導光板４０を組み立てると任意の面積となり、凹溝型の弧形の出光面が形成される。
【００２１】
図８を併せて参照すると、第三実施形態の導光板６０の構造は、第一実施形態の導光板１０の構造と類似する。導光板６０は、導光部６００及び発光部７００を備える。
【００２２】
図９を併せて参照すると、導光部６００は、入射面６１０、頂面６２０及び第一底面６３０を備える。頂面６２０と第一底面６３０とは、互いに対向して位置し、且つそれぞれ入射面６１０に接続されている。入射面６１０、頂面６２０及び第一底面６３０は、それぞれ平坦な平面である。頂面６２０と第一底面６３０との間には、第一夾角θが形成されている。該第一夾角θは、鋭角であり、その範囲は、０°＜θ≦１５°が好ましい。第一底面６３０は、入射面６１０に垂直している。
【００２３】
発光部７００は、出光面７１０、接続面７２０、第二底面７３０及び接触面７４０を備える。出光面７１０は、弧面である。本実施形態において、出光面７１０は、第二底面７３０から離れる方向に向けてそのやや中央が突出した突起型の弧面である。接続面７２０、第二底面７３０及び接触面７４０は、それぞれ平坦な平面である。接続面７２０は、頂面６２０と共同で１つの収容空間（図示せず）を形成し、該収容空間は、該導光板６０に接続される他の導光板を収容する。接続面７２０と頂面６２０との間の第二夾角αは９０°より大きい。第二底面７３０は、第一底面６３０と同じ平面に位置する。接触面７４０と第二底面７３０との間には、第四夾角βが形成され、該第四夾角βは第二夾角αに等しい。即ち、α＝β＞９０°である。
【００２４】
図１０を併せて参照すると、第三実施形態のバックライトモジュール３は、複数の導光板６０、複数の光源２０及び複数のモジュール底板３０を備える。本実施形態において、バックライトモジュール３は、導光板６０及びもう１つの導光板６１を備え、導光板６０の発光部７００における導光部６００から離れている一端は、導光板４１の収容空間に収容される。具体的には、導光板６０の第二底面７３０における第一底面６３０から離れている部分は、導光板６１の頂面６２１をカバーし、同時に、接触面７４０は、導光板６１の接続面７２１と接触して、導光板６０の出光面７１０と導光板６１の出光面７１０とは、面積が大きい１つの突起型の弧面を形成する。つまり、複数の導光板６０を組み立てると任意の面積となり、突起型の弧形の出光面が形成される。
【００２５】
図１１を併せて参照すると、第四実施形態の導光板７０の構造は、第一実施形態の導光板１０の構造と類似する。しかし、第四実施形態の導光板７０は、頂面８２０、第一底面８３０、接続面９２０及び第二底面９３０上に、光線を反射する反射膜５０が設置されている。これにより、導光板７０に入った光線は、反射膜５０によって反射するため、導光板７０から光線が漏れるのを防止することができる。
【００２６】
図１２を併せて参照すると、第五実施形態の導光板８０の構造は、第二実施形態の導光板４０の構造と類似する。しかし、第五実施形態の導光板８０は、頂面１０２０、第一底面１０３０、接続面１１２０及び第二底面１１３０上に、光線を反射する反射膜５０が設置されている。これにより、導光板８０に入った光線は、反射膜５０によって反射するため、導光板８０から光線が漏れるのを防止することができる。
【００２７】
図１３を併せて参照すると、第六実施形態の導光板９０の構造は、第三実施形態の導光板６０の構造と類似する。しかし第六実施形態の導光板９０は、頂面１２２０、第一底面１２３０、接続面１３２０及び第二底面１３３０上に、光線を反射する反射膜５０が設置されている。これにより、導光板９０に入った光線は、反射膜５０によって反射するため、導光板９０から光線が漏れるのを防止することができる。
【符号の説明】
【００２８】
１、２、３  バックライトモジュール
１０、１１、４０、４１、６０、６１、７０、８０、９０  導光板
２０  光源
３０  モジュール底板
１００、４００、６００、１２００  導光部
１１０、１１１、４１０、４１１、６１０、６１１、１２１０  入射面
１２０、１２１、４２０、４２１、６２０、６２１、８２０、１０２０、１２２０  頂面
１３０、４３０、４３１、６３０、６３１、８３０、１０３０、１２３０  第一底面
２００、５００、７００、１３００  発光部
２１０、２１１、５１０、５１１、７１０、７１１、１３１０  出光面
２２０、２２１、５２０、５２１、７２０、７２１、９２０、１１２０、１３２０  接続面
２３０、５３０、５３１、７３０、７３１、９３０、１１３０、１３３０  第二底面
２４０、２４１、５４０、５４１、７４０、７４１、１３４０  接触面
θ  第一夾角
α  第二夾角
φ  第三夾角
β  第四夾角
５０  反射膜
【図１】
2015204295.tif 000003
【図２】
2015204295.tif 000004
【図３】
2015204295.tif 000005
【図４】
2015204295.tif 000006
【図５】
2015204295.tif 000007
【図６】
2015204295.tif 000008
【図７】
2015204295.tif 000009
【図８】
2015204295.tif 000010
【図９】
2015204295.tif 000011
【図１０】
2015204295.tif 000012
【図１１】
2015204295.tif 000013
【図１２】
2015204295.tif 000014
【図１３】
2015204295.tif 000015